(57)【要約】【課題】  一定の時間間隔で文字記号パターンによりデジタル印字を行う定刻印字動作において、比較的簡単な操作で、瞬時値だけではなく、各印字タイミング間の統計演算処理結果をも印字記録できる記録計を提供すること。【解決手段】  一定の時間間隔で測定値のデジタル印字を行う記録計であって、  各印字タイミング間における多数の測定値に対して瞬時値、最大値、最小値、平均値、積算値、積算回数の少なくともいずれかの統計演算処理を行う統計演算処理部と、  統計演算処理部の演算処理項目を選択指定する操作部と、  一定の時間間隔で統計演算処理部の演算結果をデジタル印字する印字部、を設けたことを特徴とするもの。【選択図】                    図１
2006010541.tif 000002
【特許請求の範囲】
【請求項１】
一定の時間間隔で測定値のデジタル印字を行う記録計であって、
各印字タイミング間における多数の測定値に対して瞬時値、最大値、最小値、平均値、積算値、積算回数の少なくともいずれかの統計演算処理を行う統計演算処理部と、
統計演算処理部の演算処理項目を選択指定する操作部と、
一定の時間間隔で統計演算処理部の演算結果をデジタル印字する印字部、
を設けたことを特徴とする記録計。
【請求項２】
操作部は、統計演算処理部の演算処理項目をメニュー画面から選択指定することを特徴とする請求項１記載の記録計。
【請求項３】
印字部は、記録紙上に連続的なペン書き記録を行うペン記録機構を含むことを特徴とする請求項１または請求項２記載の記録計。
【請求項４】
印字部は、記録紙上に間欠的な打点記録を行うドット記録機構を含むことを特徴とする請求項１または請求項２記載の記録計。
【発明の詳細な説明】
【技術分野】
【０００１】
本発明は記録計に関し、詳しくは、一定の時間間隔で測定値のデジタル印字を行うデジタル印字機能の改善に関するものである。
【背景技術】
【０００２】
非特許文献１には、記録計の機能の一つとして、定時ごとに一定の時間間隔で測定値のデジタル印字を行う定刻印字機能が記載されている。
【０００３】
【非特許文献１】http://www.yokogawa.co.jp/Measurement/GC/rec/ur/mr1000.pdf
【０００４】
図６は従来の記録計の一例を示すブロック図である。入力部１には複数の測定チャンネルＣＨ１〜ＣＨｎのアナログ入力信号が入力されている。入力部１は、ＣＰＵ２の制御に基づき、これら複数測定チャンネルＣＨ１〜ＣＨｎのアナログ入力信号からいずれかを選択して、Ａ／Ｄ変換器３に入力する。
【０００５】
Ａ／Ｄ変換器３は、ＣＰＵ２の制御に基づき、入力部１から選択入力されたアナログ入力信号を所定周期（例えば125ms）のサンプリングクロックでデジタル信号に変換する。Ａ／Ｄ変換器３の出力データは、ＣＰＵ２の制御に基づき、測定データとして測定値メモリ４に格納される。
【０００６】
測定値メモリ４に格納された測定データは、ＣＰＵ２の制御に基づき印字データ生成部５に転送され、時間の経過に伴うアナログ入力信号の変化状況を連続的なグラフとしてトレンド記録する印字データおよび文字記号パターンによりデジタル印字する印字データが生成されて印字データ生成部５の所定のメモリ領域に格納される。
【０００７】
印字データ生成部５の所定のメモリ領域に格納された印字データは、ＣＰＵ２の制御に基づいて、印字機構６に読み出される。
【０００８】
印字機構６は、記録紙上に連続的なペン書き記録を行うペン記録機構や間欠的な打点記録を行うドット記録機構を有するものであり、ＣＰＵ２の制御に基づいて、印字データの値の大きさを記録機構に応じた所定の記録形態で記録する。
【０００９】
このような構成において、定刻印字機能が選択設定されていて、所定の定刻印字時刻になると、印字機構６は、ＣＰＵ２の制御に基づいて、例えば図７のような文字記号パターンによる印字記録を行う。
【００１０】
図７において、１行目の「２００４／０３／３１」は年月日、２行目の「１５：５０」は時刻を表している。３行目の「ＴＡＧ―００１    １.０００Ｖ」は第１チャンネルをタグ番号で表すとともにその瞬時値を表し、４行目の「２    ―１.０００Ｖ」は第２チャンネルの瞬時値を表し、５行目の「３    ―２.１０５０ＵＮＩＴ０３」は第３チャンネルの瞬時値に対して単位を「ＵＮＩＴ０３」とするあるスケーリング演算処理を施したところ数値が「―２.１０５０」になったことを表し、６行目の「４    ―１.０００Ｖ」は第４チャンネルの瞬時値を表している。
【００１１】
なお、これら定刻印字機能による文字記号パターンの印字記録は、原則として時間の経過に伴うアナログ入力信号の変化状況を連続的なグラフとして印字記録するトレンド記録と並行して行われるが、定刻印字のタイミングは記録紙の送り速度に応じて変化する。
【００１２】
自動モードに設定した場合、記録紙の送り速度が９ｍｍ/ｈ以下では定刻印字機能は行わない。そして、ペン記録動作を行う場合、記録紙の送り速度が１０ｍｍ/ｈ〜１８ｍｍ/ｈでは８時間間隔で定刻印字を行い、７５ｍｍ/ｈ〜１３５ｍｍ/ｈでは１時間間隔で定刻印字を行う。また、ドット記録動作を行う場合、記録紙の送り速度が１０ｍｍ/ｈ〜１９ｍｍ/ｈでは８時間間隔で定刻印字を行い、８０ｍｍ/ｈ〜１００ｍｍ/ｈでは１時間間隔で定刻印字を行い、１０１ｍｍ/ｈ以上では定刻印字を行わない。
【００１３】
図８は図６の測定動作の流れを示すフローチャートである。まずＡ／Ｄ変換器３は選択入力されたアナログ入力信号をデジタル信号に変換する（ステップＳＰ１）。続いて、Ａ／Ｄ変換器３から変換出力されるデジタル信号を測定データとして測定値メモリ４に格納する（ステップＳＰ２）。
【００１４】
図９は図６の定刻印字動作の流れを示すフローチャートである。所定の定刻印字時刻になると、ＣＰＵ２は測定値メモリ４に格納された測定データを読み出し、文字記号パターンによりデジタル印字するための印字データを生成する印字データ生成部５に転送する。印字データ生成部５は生成した印字データを所定のメモリ領域に格納する（ステップＳＰ１）。続いて、ＣＰＵ２は印字データ生成部５の所定のメモリ領域に格納された印字データを読み出し、印字機構６に出力する（ステップＳＰ２）。そして、印字機構６は図７のような文字記号パターンによる印字記録を行う（ステップＳＰ３）。
【００１５】
図１０は図６の定刻印字動作を示すタイミングチャートである。Ａ／Ｄ変換器３で変換された測定データは、（ａ）に示すように所定の測定タイミング（例えば125ms）で測定値メモリ４に逐次格納される。定刻印字時刻（例えば１時間間隔）になると、測定値メモリ４に格納された測定データから最新の測定データを瞬時値として読み出し、印字データメモリ５を介して印字機構６に出力することにより、（ｂ）に示すように所定の印字タイミングｔ1n，ｔ2n，ｔ3nで図７のような文字記号パターンによる印字記録を行う。
【発明の開示】
【発明が解決しようとする課題】
【００１６】
図６の構成における定刻印字では、一定の時間間隔（例えば１時間間隔）で、その印字時刻における最新の測定データを測定値（瞬時値）として印字するので、各印字時点ｔ1n，ｔ2n，ｔ3nでの瞬時値が記録に残るだけであり、各印字タイミング間における多数の測定データがどのように変化していたのかを記録することはできない。
【００１７】
これら各印字タイミング間における多数の測定データの変化状態を記録する方法としては、多数の測定値に対する統計演算処理ユニットを追加し、ユーザーが演算専用チャンネルを用いて各印字タイミング間の最大値、最小値、平均値、積算値などの演算式を構築してこれらの演算結果を印字することが考えられる。
【００１８】
しかし、統計演算処理ユニットを購入するための費用が発生し、演算式を構築するための工数も必要になり、操作が複雑になってしまう。
【００１９】
本発明は、このような従来の問題点を解決するものであり、その目的は、一定の時間間隔で文字記号パターンによりデジタル印字を行う定刻印字動作において、比較的簡単な操作で、瞬時値だけではなく、各印字タイミング間の統計演算処理結果をも印字記録できる記録計を提供することにある。
【課題を解決するための手段】
【００２０】
このような課題を達成するために、本発明のうち請求項１記載の発明は、
一定の時間間隔で測定値のデジタル印字を行う記録計であって、
各印字タイミング間における多数の測定値に対して瞬時値、最大値、最小値、平均値、積算値、積算回数の少なくともいずれかの統計演算処理を行う統計演算処理部と、
統計演算処理部の演算処理項目を選択指定する操作部と、
一定の時間間隔で統計演算処理部の演算結果をデジタル印字する印字部、
を設けたことを特徴とする。
【００２１】
請求項２記載の発明は、請求項１記載の記録計において、
操作部は、統計演算処理部の演算処理項目をメニュー画面から選択指定することを特徴とする。
【００２２】
請求項３記載の発明は、請求項１または請求項２記載の記録計において、
印字部は、記録紙上に連続的なペン書き記録を行うペン記録機構を含むことを特徴とする。
【００２３】
請求項４記載の発明は、請求項１または請求項２記載の記録計において、
印字部は、記録紙上に間欠的な打点記録を行うドット記録機構を含むことを特徴とする。
【発明の効果】
【００２４】
本発明によれば、一定の時間間隔で文字記号パターンによりデジタル印字を行う定刻印字動作において、比較的簡単な操作で、瞬時値だけではなく、各印字タイミング間の統計演算処理結果をも印字記録できる。これにより、各印字タイミング間における測定値の変化状況を把握できる。
【発明を実施するための最良の形態】
【００２５】
以下、本発明を図面を用いて詳細に説明する。図１は本発明に基づく記録計の具体例を示すブロック図であり、図６と共通する部分には同一符号を付けている。
【００２６】
図１において、統計演算処理部７は、表示部８に表示される操作設定メニュー画面から、所望の対象測定チャンネルおよび演算処理項目を操作部９を介して選択指定することにより、ＣＰＵ２の制御に基づき、測定値メモリ４に格納されている対象測定チャンネルの測定データを取り込み、各印字タイミング間における多数の測定値の瞬時値、最大値、最小値、平均値、積算値、積算回数などの統計演算処理を行う。そして、これらの演算結果を、ＣＰＵ２の制御に基づき、印字データ生成部５に転送する。
【００２７】
このような構成において、定刻印字機能が選択設定されている状態で所定の定刻印字時刻になると、印字機構６は、ＣＰＵ２の制御に基づいて、例えば図２のような文字記号パターンによる印字記録を行う。
【００２８】
図２において、１行目の「２００４／０３／３１」は年月日、２行目の「１５：５０」は時刻を表している。３行目の「ＴＡＧ―００１    １.０００Ｖ」は第１チャンネルをタグ番号で表すとともにその瞬時値を表し、４行目の「２    ―１.０００Ｖ」は第２チャンネルの最小値を表し、５行目の「３    ―２.１０５５００Ｅ＋０３ＵＮＩＴ０３」は第３チャンネルの測定値の単位を「ＵＮＩＴ０３」とする積算値が「―２.１０５５００Ｅ＋０３」になっていることを表し、６行目の「４    ２.０００Ｖ」は第４チャンネルの最大値を表している。
【００２９】
７行目の「ＴＡＧ―００Ａ    １  ＵＮＩＴ０Ａ」は第１チャンネルの測定データに基づく演算結果としての瞬時値を小数点位置を０桁にし単位を「ＵＮＩＴ０Ａ」で表し、８行目の「Ｃ    １.００  」は第１チャンネルの測定データに基づく演算結果としての平均値を小数点位置を２桁にして演算チャンネルＣに表し、９行目の「Ｄ    ―１０.００／１５０.００／１００.００」は第１チャンネルの測定データに基づく演算結果としての最小値／最大値／平均値を組み合わせて小数点位置を２桁にして演算チャンネルＤに表している。なお、これら演算結果の組み合わせや小数点位置の桁数は任意に変更設定できるものとする。
【００３０】
図３は図１の測定動作の流れを示すフローチャートである。まずＡ／Ｄ変換器３は選択入力されたアナログ入力信号をデジタル信号に変換する（ステップＳＰ１）。続いて、Ａ／Ｄ変換器３から変換出力されるデジタル信号を測定データとして測定値メモリ４に格納する（ステップＳＰ２）。測定値メモリ４に格納された測定データのうち、統計演算処理部７の演算処理項目設定に応じた所定の測定データが統計演算処理部７に転送され、各測定チャンネル毎の測定値あるいは任意に設定される複数の測定チャンネルの測定値について最大値、最小値、平均値、積算値、積算回数などの統計演算処理が行われる（ステップＳＰ３）。これらの演算処理結果は、それぞれ所定のメモリ領域に格納される。
【００３１】
図４は図１の定刻印字動作の流れを示すフローチャートである。所定の定刻印字時刻になると、ＣＰＵ２は測定値メモリ４に格納された測定データと統計演算処理部７の演算処理結果を読み出し、文字記号パターンによりデジタル印字するための印字データを生成する印字データ生成部５に転送する。印字データ生成部５は生成した印字データを所定のメモリ領域に格納する（ステップＳＰ１）。続いて、ＣＰＵ２は印字データ生成部５の所定のメモリ領域に格納された印字データを読み出し、印字機構６に出力する（ステップＳＰ２）。そして、印字機構６は図２のような文字記号パターンによる印字記録を行う（ステップＳＰ３）。
【００３２】
図５は図１の定刻印字動作を示すタイミングチャートである。Ａ／Ｄ変換器３で変換された測定データは、（ａ）に示すように所定の測定タイミング（例えば125ms）で測定値メモリ４に逐次格納される。定刻印字時刻（例えば１時間間隔）になると、測定値メモリ４に格納された測定データから最新の測定データを瞬時値として読み出すとともに統計演算処理部７の所定のメモリ領域に格納されている演算処理結果を読み出し、印字データメモリ５を介して印字機構６に出力することにより、（ｂ）に示すように所定の印字タイミングｔ1n，ｔ2n，ｔ3nで図２のような文字記号パターンによる印字記録を行う。
【００３３】
例えば印字タイミングｔ2nに着目すると、測定タイミングｔ21〜ｔ2nで測定された多数の測定データに基づいて最新の測定データを瞬時値として読み出し印字記録したり、統計演算処理部７の演算結果である瞬時値、最大値、最小値、平均値、積算値などを適宜組み合わせて印字記録する。これらのデジタル印字結果から、各測定タイミングｔ21〜ｔ2nにおいて測定された多数の測定データがどのように変化しているかを適切に把握することができる。
【００３４】
なお、統計演算処理部７で演算した結果を、通信部１０およびイーサネット（登録商標）やシリアル通信線を介して外部に出力してもよい。
【００３５】
また、統計演算処理部７での演算結果を、電子メールに添付して、あらかじめ設定された送信先に定刻印字のタイミングで送信してもよい。
【００３６】
さらに、統計演算処理部７での演算結果を、ＡＴＡカードやフレキシブルディスクなどの外部メディア１１にセーブしてもよい。
【図面の簡単な説明】
【００３７】
【図１】本発明に基づく記録計の具体例を示すブロック図である。
【図２】文字記号パターンによる印字記録例である。
【図３】図１の測定動作の流れを示すフローチャートである。
【図４】図１の定刻印字動作の流れを示すフローチャートである。
【図５】図１の定刻印字動作を示すタイミングチャートである。
【図６】従来の記録計の一例を示すブロック図である。
【図７】文字記号パターンによる従来の印字記録例である。
【図８】図６の測定動作の流れを示すフローチャートである。
【図９】図６の定刻印字動作の流れを示すフローチャートである。
【図１０】図６の定刻印字動作を示すタイミングチャートである。
【符号の説明】
【００３８】
１  入力部
２  ＣＰＵ
３  Ａ／Ｄ変換器
４  測定値メモリ
５  印字データ生成部
６  印字機構
７  統計演算処理部
８  表示部
９  操作部
１０  通信部
１１  外部メディア
【図１】
2006010541.tif 000003
【図２】
2006010541.tif 000004
【図３】
2006010541.tif 000005
【図４】
2006010541.tif 000006
【図５】
2006010541.tif 000007
【図６】
2006010541.tif 000008
【図７】
2006010541.tif 000009
【図８】
2006010541.tif 000010
【図９】
2006010541.tif 000011
【図１０】
2006010541.tif 000012